(57)【要約】本明細書に開示の実施形態は全体として、ヘッドホンシステム及び方法に関する。ヘッドホンリスニング装置は、頭部支持部によって相互接続される第１のスピーカ及び第２のスピーカ、第１のスピーカの第２のスピーカに対するスピーカ変位を検出するよう構成される少なくとも１つのセンサ、ならびに、スピーカ変位に基づいて少なくとも１つのスピーカ属性を第１のスピーカ及び第２のスピーカの少なくとも１つに適用するよう構成される制御装置を含んでもよい。【選択図】図１
2018509820.tif 000002
【特許請求の範囲】
【請求項１】
頭部支持部によって相互接続される第１のスピーカ及び第２のスピーカと、
前記第１のスピーカの前記第２のスピーカに対するスピーカ変位を検出するよう構成される少なくとも１つのセンサと、
前記スピーカ変位に基づいて、少なくとも１つのスピーカ属性を前記第１のスピーカ及び第２のスピーカの少なくとも１つに適用するよう構成される制御装置と、
を備える、ヘッドホンリスニング装置。
【請求項２】
前記少なくとも１つのセンサが前記頭部支持部の長さを検出するようにさらに構成される、請求項１に記載の装置。
【請求項３】
前記少なくとも１つのセンサが、前記第１のスピーカ及び前記第２のスピーカの１つを収容するイヤピースの角度変位を検出するようにさらに構成される、請求項１に記載の装置。
【請求項４】
前記少なくとも１つのセンサが、前記第１のスピーカ及び前記第２のスピーカの１つを収容するイヤピースの角度変位を検出するよう構成されるジャイロスコープである、請求項１に記載の装置。
【請求項５】
前記制御装置が、前記スピーカ変位に関連し、格納された変位値を含むプロファイルに基づいて前記少なくとも１つのスピーカ属性を選択するようにさらに構成される、請求項４に記載の装置。
【請求項６】
前記少なくとも１つのスピーカ属性が、等化プロファイル、音量レベル、及びゲインテーブルの少なくとも１つを含む、請求項５に記載の装置。
【請求項７】
前記制御装置が、ユーザの聴力を示すコマンドを受信するように、また、前記コマンド及び前記スピーカ変位に基づいて少なくとも１つのパーソナライズされたプロファイルを生成するようにさらに構成される、請求項５に記載の装置。
【請求項８】
複数のスピーカと、
ユーザの頭部の大きさを示す第１のセンサ値を生成するよう構成されるセンサと、
前記第１のセンサ値を格納されたセンサ値と比較し、
前記格納されたセンサ値と一致する前記第１のセンサ値に応じて、前記格納されたセンサ値に関連する少なくとも１つのスピーカ設定を適用する、
ように構成される制御装置と、
を備える、ヘッドホンリスニング装置。
【請求項９】
前記制御装置が、ユーザの聴力を示すコマンドを受信するように、また、前記コマンド及び前記センサ値に基づいて少なくとも１つのパーソナライズされたプロファイルを生成するようにさらに構成される、請求項８に記載の装置。
【請求項１０】
前記センサが、前記スピーカの少なくとも１つの角度オフセットを検出するよう構成される少なくとも１つのジャイロスコープを含む、請求項８に記載の装置。
【請求項１１】
前記センサが、前記ヘッドホンリスニング装置の頭部支持部の長さを検出するよう構成される少なくとも１つの位置センサを含む、請求項９に記載の装置。
【請求項１２】
前記少なくとも１つのスピーカ設定が、等化プロファイル、音量レベル、及びゲインテーブルの少なくとも１つを含む、請求項８に記載の装置。
【請求項１３】
前記格納されたセンサ値に関連する前記少なくとも１つのスピーカ設定を含み、格納されたセンサ値によって分類される複数のプロファイルを維持するよう構成されるデータベースをさらに備える、請求項８に記載の装置。
【請求項１４】
第１のセンサ値を受信することと、
前記第１のセンサ値を格納されたセンサ値と比較することと、
前記格納されたセンサ値と一致する前記第１のセンサ値に応じて前記格納センサ値に関連するプロファイルを選択することと、
前記格納されたセンサ値の前記プロファイルによって定義された少なくとも１つのスピーカ設定を送信することと、
を含む動作を行うための、計算装置の処理装置により実行可能であるソフトウェアプログラムのコンピュータ実行可能命令を有形に実施する、非一時的コンピュータ可読媒体。
【請求項１５】
前記センサ値がイヤピースの角度オフセットである、請求項１４に記載の媒体。
【請求項１６】
前記センサ値が頭部支持部の長さを示す、請求項１４に記載の媒体。
【請求項１７】
前記頭部支持部の前記長さがユーザの年齢及び聴力を示す、請求項１６に記載の媒体。
【請求項１８】
前記少なくとも１つのスピーカ設定が、前記ユーザの年齢に対応する最大音量を含む、請求項１７に記載の媒体。
【請求項１９】
前記少なくとも１つのスピーカ設定が、等化プロファイル、音量レベル、及びゲインテーブルの少なくとも１つを含む、請求項１４に記載の媒体。
【請求項２０】
ユーザの聴力を示すコマンドを受信することならびに、前記コマンド及び前記センサ値に基づいて少なくとも１つのパーソナライズされたプロファイルを生成することをさらに含む、請求項１４に記載の媒体。
【請求項２１】
頭部支持部によって相互接続される第１のスピーカ及び第２のスピーカと、
前記第１のスピーカの前記第２のスピーカに対するスピーカ変位を検出するよう構成される少なくとも１つのセンサと、
前記スピーカ変位に関連するプロファイルに基づいて、少なくとも１つのスピーカ属性を前記第１のスピーカ及び第２のスピーカの少なくとも１つに適用するよう構成される制御装置と、
を備える、ヘッドホンリスニング装置。
【発明の詳細な説明】
【技術分野】
【０００１】
本明細書に開示の実施形態は全体として、ヘッドホンシステム及び方法に関する。
【背景技術】
【０００２】
ヘッドホンは音声を聴くためにユーザによって利用されることが多く、通常は、最大音量制限、等化設定等の特定の音声処理デフォルトを備える。ヘッドホンは多くの場合、家族及び友人等の人々のグループの間で共有される。こうしたケースは、とりわけ高品質ヘッドホンの場合に顕著である。しかし製造時に定められたデフォルト設定では、ユーザ１人ひとりに最適なリスニング体験をもたらすことができない場合がある。すなわち、ユーザは聴力が各々異なる小児または成人のいずれであってもよいため、デフォルト設定によってもたらされるリスニング体験は、ヘッドホンを現在利用している個人の要望を満たさない場合がある。
【発明の概要】
【課題を解決するための手段】
【０００３】
ヘッドホンリスニング装置は、頭部支持部によって相互接続される第１のスピーカ及び第２のスピーカ、第１のスピーカの第２のスピーカに対するスピーカ変位を検出するよう構成される少なくとも１つのセンサ、ならびに、スピーカ変位に基づいて、少なくとも１つのスピーカ属性を第１のスピーカ及び第２のスピーカの少なくとも１つに適用するよう構成される制御装置を含んでもよい。
【０００４】
ヘッドホンリスニング装置は、少なくとも１つのスピーカ、ユーザの頭部の大きさを示す第１のセンサ値を生成するよう構成されるセンサ、及び、第１のセンサ値を格納されたセンサ値と比較し、格納されたセンサ値と一致する第１のセンサ値に応じて格納されたセンサ値に関連する少なくとも１つのスピーカ設定を適用するよう構成される制御装置を含んでもよい。
【０００５】
計算装置の処理装置により実行可能であるソフトウェアプログラムのコンピュータ実行可能命令を有形に実施する非一時的コンピュータ可読媒体により、第１のセンサ値を受信し、第１のセンサ値を格納されたセンサ値と比較し、格納されたセンサ値と一致する第１のセンサ値に応じて格納センサ値に関連するプロファイルを選択し、格納されたセンサ値のプロファイルによって定義された少なくとも１つのスピーカ設定を送信する動作を行うことができる。
【０００６】
本開示の実施形態が、添付の特許請求の範囲において詳細に指摘されている。しかし、添付の図面と併せて以下の詳細な説明を参照することにより、様々な実施形態の他の特徴がさらに明らかになり、よく理解できる。
【図面の簡単な説明】
【０００７】
【図１】一実施形態による、ヘッドホンリスニング装置を示す。
【図２】一実施形態による、ヘッドホンリスニング装置のブロック図を示す。
【図３】一実施形態による、ヘッドホンリスニング装置のルックアップテーブルを示す。
【図４】一実施形態による、ヘッドホンリスニング装置のプロセスフローを示す。
【発明を実施するための形態】
【０００８】
必要とされるように、本発明の詳細な実施形態について本明細書に開示する。しかし、様々なそして代替的な形式で実施されてもよい開示される実施形態が本発明の例示に過ぎないことを理解すべきである。図面は、必ずしも一定の比率の縮尺ではなく、いくつかの特徴は誇張または最小化されて特定の構成要素の詳細を示してもよい。したがって、本明細書に開示の具体的な構造上及び機能的な詳細は限定するものとしてではなく、単に、本発明を様々に利用する方法を当業者に教示する代表的な根拠として解釈されるべきである。
【０００９】
本明細書は、特定の個人による使用時にパーソナライズされたスピーカ設定を適用するようプログラミングされたヘッドホンリスニング装置について記載する。例えば多くの場合、ハイエンドのヘッドホンは、成人及び小児を含む家族及び友人で共有される。特定のスピーカ設定または属性が、ユーザの頭部の大きさを示し、これによってユーザの知覚年齢を示すセンサデータに基づいて適用されてもよい。例えばユーザの分類ごとにより良いリスニング体験をもたらすために、小児向けのプロファイル設定が成人のプロファイル設定とは異なってもよい。ユーザの知覚年齢に基づいて適用される標準プロファイルに加えて、特定のユーザのためにパーソナライズされたプロファイルが生成されてもよい。一例では、１人のユーザのためのプロファイルがそのユーザの聴覚欠損の原因である場合がある（例えば、特定の周波数のゲインが増加する場合がある）。したがって、ユーザごとのリスニング体験を向上させるために、パーソナライズされたヘッドホンリスニング装置について本明細書において開示する。
【００１０】
図１は、「ヘッドホン１００」とも称されるヘッドホンリスニング装置１００を示す。ヘッドホン１００は、少なくとも１つのスピーカ装置１１０、または「スピーカ１１０」を含む。ヘッドホン１００はスピーカ１１０における音声再生のために、音声装置（図示せず）から音声信号を受信してもよい。音声装置はヘッドホン１００に組み込まれてもよく、また、ケーブルまたはワイヤ等によって直結されること、ならびに、例えばセルラー、無線またはＢｌｕｅｔｏｏｔｈ（登録商標）ネットワーク等の無線接続を介することによって音声信号を送信するよう構成される別個の装置であってもよい。音声装置は例えば、携帯電話、ｉＰｏｄ（登録商標）、ノートブック、パーソナルコンピュータ、メディアサーバ等の携帯機器であってもよい。
【００１１】
図１の例においてヘッドホン１００は、それぞれがスピーカ装置１１０を収容し、頭部支持部１２０、または「支持部１２０」によって相互接続される、２つのイヤピース１０５を含む。頭部支持部１２０は、２つのスピーカ１１０を接続する可撓性または調整可能な部品であってもよい。頭部支持部１２０はユーザの頭部に沿って、聴取中のヘッドホンの位置を保つための補助を行ってもよい。頭部支持部１２０はまた、締付けるか、またはばねのような張力をもたらして、スピーカ１１０をユーザの耳に対して摩擦保持することを可能にしてもよい。ヘッドホン１００をユーザの頭部に取り付け、取り外す際にワイヤを動かすことを可能にするために、頭部支持部１２０は可撓性であってもよく、ワイヤまたはプラスチック等の可撓性材料により構成されてもよい。さらに、頭部支持部１２０の長さは特定のユーザの頭部に合わせて変化できるように、調整可能であってもよい。一例において、頭部支持部１２０は、支持部１２０の所望の長さに応じて第１の部分１２５が第２の部分１３０に出入りすることを可能にするように第１の部分１２５が第２の部分１３０に摺動可能に嵌合することができる、伸縮的な特徴部を含んでもよい。
【００１２】
支持部１２０の長さは、ユーザの頭部の大きさによって変化してもよい。例えば、小児は支持部１２０を短く調整してもよく、一方成人は支持部１２０を長く調整してもよい。ヘッドホン１００は、支持部１２０の長さを決定することが可能である少なくとも１つの第１のセンサ１３５を含んでもよい。例えば第１のセンサ１３５は、伸縮的な特徴部の第１の部分１２５が第２の部分１３０に対してどの程度伸張するかを判定することが可能である位置センサであってもよい。図１に示す例では、第１の部分１２５の組は第２の部分１３０内を摺動可能であってもよく、第１の部分１２５のそれぞれにおいて、支持部１２０の相対長さを判定するために第１のセンサ１３５の組が利用されてもよい。
【００１３】
さらに、または代替的に、第２のセンサ１４０がヘッドホン１００に含まれてもよい。第２のセンサ１４０は、スピーカ１１０内に、またはスピーカ１１０に位置してもよい。第２のセンサ１４０は、ユーザの頭部の大きさを判定するよう構成されてもよい。一例では、第２のセンサ１４０はスピーカ１１０及び／またはイヤカップの角度オフセットを判定するよう構成されたジャイロスコープであってもよい。角度オフセットは、ユーザの頭部の大きさに相関してもよい。すなわち、オフセットが大きいほど頭部が大きく、逆も同様である。したがって、角度オフセット、または支持部１２０の長さによってスピーカ１１０の互いに対する変位を判定するために、センサ１３４、１４０が利用されてもよい。
【００１４】
ヘッドホン１００は、音声または音声信号を受信するよう構成されたマイクロホン１４５を含んでもよい。これらの音声信号は、周囲雑音ならびに可聴音声及びユーザからのコマンドを含んでもよい。マイクロホン１４５は、スピーカ１１０を介して行われた可聴質問に応じたユーザからの可聴応答を受信してもよい。これは、ヒアリング試験が実施されている場合に可能である。ユーザは「この音声が聞こえますか？」等の特定の質問をスピーカ１１０で聞き、「はい」または「いいえ」の回答で可聴的に応答してもよい。
【００１５】
さらにヘッドホン１００は、ユーザからの可聴コマンドに応じて頭部支持部１２０を調整するよう構成されてもよい。例えばユーザは、「頭部支持部を締めて」とヘッドホンに指示してもよい。制御装置はコマンドを受けて、コマンドに応じてモータまたは他の機構（図示せず）によって短縮するかまたは延長するよう頭部支持部１２０に指示してもよい。
【００１６】
ヘッドホン１００はまた、ユーザからのコマンドまたはフィードバックを受信するよう構成された、スイッチまたはパネル等のユーザインターフェース１１５を含んでもよい。図３に関して本明細書に記すように、インターフェース１１５はヘッドホン１００の具体的なモードを示してもよい。インターフェース１１５はまた、スピーカ１１０の音量レベルに関する命令をユーザから受信するよう構成されてもよい。さらにインターフェース１１５は、携帯電話、タブレット等のヘッドホン１００とは別個の装置に実装されてもよい。この例では、ヘッドホン１００は装置の応用によって容易に行われる無線通信を介して、遠隔装置と通信してもよい。例えば、ユーザの携帯電話上で応用することにより、ヘッドホン１００にコマンドを出すよう構成されたインターフェース１１５を提供してもよい。
【００１７】
ヘッドホン１００は、充電可能な、または交換可能な電池によって電力を供給されてもよい。充電可能な電池の例において電池は、ユニバーサルシリアルバス（ＵＳＢ）接続によって接続可能な外部電源を介して充電されてもよい。ヘッドホン１００はまた、標準的な壁コンセント等のＡＣ配線電源によって電力を供給されてもよい。
【００１８】
図２は、ヘッドホン装置１００のブロック図を示す。ヘッドホン１００は、ユーザのリスニング体験を容易にするよう構成された制御装置１５０を含んでもよい。制御装置１５０は、データベース１６５、マイクロホン１４５、ユーザインターフェース１１５及びスピーカ１１０と通信してもよい。制御装置１５０はまた、センサ１３５、１４０及び無線送受信機１７０と通信してもよい。送受信機１７０はスピーカ１１０を通じた再生のために、音声装置等の遠隔装置から信号を受信し、制御装置１５０に信号を出すことが可能である。ユーザ設定、プレイリスト、設定等の他の情報及びデータが送受信機１７０を介して交換されてもよい。ヘッドホン１００と遠隔装置との間の通信は、Ｂｌｕｅｔｏｏｔｈ（登録商標）ネットワークを介して、またはＷｉ−Ｆｉ（登録商標）によって、容易に行うことができる。Ｂｌｕｅｔｏｏｔｈ（登録商標）またはＷｉ−Ｆｉ（登録商標）は、再生のために音楽等のメディアコンテンツを携帯機器からヘッドホン１００へとストリーミングするために利用されてもよい。制御装置１５０は、Ｂｌｕｅｔｏｏｔｈ（登録商標）技術のための音声復号化能力を含んでもよい。
【００１９】
マイクロホン１４５は、制御装置１５０に音声入力信号を出してもよい。音声入力信号は、制御装置１５０によって分析することができる周囲雑音のサンプルを含んでもよい。制御装置１５０は入力サンプルに基づいて音声出力を調整し、より良いリスニング体験をもたらしてもよい（例えば、雑音除去）。
【００２０】
データベース１６５はヘッドホン１００内でローカルに配置されてもよく、格納された変位値（例えば、ジャイロスコープ及びスライダのセンサ値）によって分類される複数のプロファイルを含む、少なくとも１つのルックアップテーブル１７５を含んでもよい。データベース１６５はまた、遠隔ユーザ装置、または他の位置に配置されてもよい。
【００２１】
センサ１３５、１４０は上述の通り、１つまたは複数のスピーカ１１０において頭部支持部１２０の長さ及び／または角度オフセットのいずれかを感知することで、ユーザの頭部の大きさを示すセンサーバルブを生成することが可能であるセンサを含んでもよい。センサ１３５、１４０はまた、２つのスピーカ１１０の間の距離を判定することが可能である位置センサを含んでもよい。
【００２２】
全てのユーザにとって、聴力は一定でも等しくもない。様々な周波数を聞く能力は、ユーザの年齢及び性別によって変化する。センサ１３５、１４０を介してユーザの頭部の大きさに関するデータを収集することにより、データはユーザの年齢及び／または性別を示してもよい。制御装置１５０はユーザの頭部の大きさに基づいてユーザを分類するために、データを分析してルックアップテーブル１７５内の格納値とセンサ値を比較できるように、ユーザの頭部の大きさを示すセンサ値を有するセンサデータをセンサ１３５、１４０から受信してもよい。例えば、第２のセンサ１４０によって検出された特定の角度オフセットは、小児の頭部の大きさに対応するルックアップテーブル１７５内に保存されたオフセット値と整合してもよい。制御装置１５０は現在のユーザの分類の決定を受けて、対応するプロファイル１８０において同様に定義されたスピーカ設定をスピーカ１１０に適用してもよい。これらの設定は、具体的な音量制限（例えば、最大音量）、ゲイン値、等化パラメータ／プロファイル等を含んでもよい。小児の例では、ヘッドホン１００において音量が調整可能であるが、小児の聴力を保護するために制限を課してもよい。成人のユーザには、より高い音量制限を課してもよい。性別によって聴力は異なるため、別の例では、ユーザの性別が女性であると判断された場合、男性のユーザのゲイン値とは違った、異なるゲイン値が定められてもよい。
【００２３】
制御装置１５０は１つまたは複数のセンサ１３５、１４０からのデータに基づき、ユーザの分類を決定してもよい。例えば、第１のセンサ１３５のみからのデータ、第２のセンサ１４０のみからのデータ、または、第１のセンサ１３５及び第２のセンサ１４０の両方からのデータに基づいて、適切なプロファイル１８０が決定されてもよい。プロファイル／分類を決定するために利用されるデータが多いほど、決定の正確性は向上する。
【００２４】
図３は、複数のプロファイル１８０を有するデータベース１６５内のルックアップテーブル１７５を示す。説明するように、各プロファイル１８０は、等化パラメータ、ゲインテーブル、列制限及び曲線等の、スピーカ１１０を介して送信される音声に関する、予め定められたスピーカ設定を含んでもよい。プロファイル１８０は、ユーザのタイプに対応する属性を含んでもよい。例えば、ユーザは小児または成人として分類されてもよい。本明細書の例は主にユーザの年齢に関するが、ユーザは、地理的位置、性別、人種等の、年齢以外の他の特性に基づいて分類されてもよい。少なくとも１つのルックアップテーブル１７５は、それぞれがユーザの分類に対応する複数のプロファイルを含んでもよい。
【００２５】
プロファイル１８０は、ユーザの知覚年齢に基づくスピーカ設定を適用するよう構成された標準プロファイルであってもよい。しかしプロファイル１８０はまた、ユーザの特定の需要に応じて特定のユーザのために生成される、パーソナライズされたプロファイルであってもよい。例えば１人のユーザは、高い周波数を聞くことが困難である場合がある。このユーザに関して、これらの周波数のゲインは増加する場合がある。  これらのパーソナライズされたプロファイルは、音量曲線、周波数対ゲイン曲線、最大音量、最小値、デフォルト音量等のスピーカ設定を含んでもよい。スピーカ設定はまた、基本及び高音設定等のスピーカ音設定に関する他の設定を含んでもよい。パーソナライズされたプロファイルは、センサデータ内のセンサ値に基づいて制御装置１５０が特定のユーザを認識するたびに適用されてもよい。パーソナライズされたプロファイルは、ヘッドホン１００において実施されるヒアリング試験に応じて生成されてもよい。すなわち、ユーザの聴力のための最良のスピーカ設定が定められてもよい。さらに、２人のユーザが同様の頭部の大きさを有する場合、スピーカ１１０は制御装置１５０からのコマンドに応じて、ユーザにユーザの氏名を尋ねる。ユーザによる応答はマイクロホン１４５によって収音されてもよく、制御装置１５０はそれぞれのプロファイルをユーザのために適用してもよい。これらの処理については、図４に関連して以下により詳細に記載される。
【００２６】
図２に戻ると、インターフェース１１５はコマンド及び情報を制御装置１５０に送信してもよい。インターフェース１１５は、スイッチ、液晶ディスプレイ、または、ユーザコマンドを受信するよう構成された任意の他のタイプのインターフェースであってもよい。送信されるコマンドは音声の再生に関してもよく、音量コマンド及びスキップ、早送り等の再生コマンドを含んでもよい。コマンドはまた、モードコマンドを含んでもよい。一例では、ヘッドホン１００は、ヘッドホン１００の典型的な利用と同様に、ユーザが音声を聴く通常リスニングモードで動作するよう構成されてもよい。別のモードであるトレーニングモードでは、ヘッドホン１００はユーザに関連する特定のパラメータを定めてもよい。パラメータは、取得したセンサデータ（すなわち、センサ値）に基づいてユーザの頭部の大きさを示すデータを含んでもよい。さらに、または代替的に、ヘッドホン１００はまた、ヒアリング試験を実施することにより、ユーザの聴力に関するユーザ情報を収集してもよい。ヒアリング試験の結果は、特定のユーザに関する予め定められたスピーカ設定に影響を与え得る。すなわち、プロファイル１８０及び含まれるスピーカ設定がそのユーザに特有のものとなるように、パーソナライズされたプロファイル１８０がそのユーザのために生成されてもよい。これについては、図４において以下により詳細に記載する。
【００２７】
図４は、スピーカモードに基づく制御装置１５０の動作の処理４００を示す。処理４００は、ヘッドホン１００がリスニングモードまたはトレーニングモードのどちらにあるかを処理装置が判断することができるブロック４０５において開始することができる。この判断は、インターフェース１１５から制御装置１５０に送信されるモードコマンドに基づいて行われてもよい。さらに、または代替的に、インターフェース１１５においてユーザ入力に関連しない他の要因に基づいてモードが判断されてもよい。これらの要因は、ヘッドホン１００が初めて利用されているか、例えば、製造以降初めて電源を入れられたか否か、を含んでもよい。
【００２８】
ヘッドホン１００がトレーニングモードにあると判断された場合、処理４００はブロック４１０に進み、そうでない場合、処理４００はブロック４１５のリスニングモードに進む。
【００２９】
トレーニングモードにおいてヘッドホン１００は、現在のユーザに関するデータを収集し、その特定のユーザのためにパーソナライズされたプロファイル１８０を作成するよう構成されてもよい。このプロファイル１８０はその後、（センサデータを介して）特定のユーザがヘッドホン１００を利用していると認識される際にはいつでも、スピーカ１１０に適用され、これによってユーザごとにリスニング体験を向上させてもよい。ブロック４２０において、制御装置１５０はセンサデータを受信してもよい。上述のように、センサデータはユーザを識別するためのセンサ値を含んでもよい。
【００３０】
ブロック４２５において、制御装置１５０はリスニング試験を実施してもよい。リスニング試験は、複数の質問及び、特定のユーザの聴力に基づいてパーソナライズされたヒアリングプロファイルを作成することが可能である、受信される応答を含んでもよい。質問は、ユーザに向けられる特定の音と組み合わせられる可聴質問を含んでもよい。例えば質問は、「この音が聞こえますか？」「この音はどちらの耳に聞こえますか？」等の質問を含んでもよい。応答はユーザによって可聴的に行われ、マイクロホン１４５において受信されてもよい。例えばユーザは、「はい」または「左耳」と応答してもよい。応答はまた、インターフェース１１５において受信されてもよい。この例では、インターフェース１１５は、ユーザが潜在的な応答のリストから特定の応答を選択する、ヘッドホン１００上の、または遠隔装置上のスクリーンであってもよい。
【００３１】
リスニング試験中、制御装置１５０はユーザのフィードバックに基づいて、特定のゲイン特性を能動的に調整してもよい。例えば、特定の周波数の音が聞こえないことをユーザが示す場合、その音が聞こえることをユーザが示すまで、その周波数のゲインが漸増する場合がある。
【００３２】
ブロック４３０において、リスニング試験の結果がデータベース１６５に格納されてもよい。
【００３３】
ブロック４３５において、制御装置１５０はリスニング試験の結果を分析し、結果に基づいてスピーカ設定を生成してもよい。スピーカ設定は、ユーザの聴力に特有のゲインテーブルを含んでもよい。例えば、ユーザが高い音程を聞くことが困難であると結果が示す場合、それらの周波数のゲインが減少する場合がある。別の例では、一方のスピーカ１１０のゲインは、左右の耳の聴力の相違を説明する結果によっては、他方のスピーカ１１０とは異なる場合がある。
【００３４】
ブロック４４０において制御装置１５０は、センサ値及びスピーカ設定を含むユーザプロファイル１８０をデータベース１６５に格納する。
【００３５】
リスニングモードの際に、特定のユーザプロファイルは生成されていないが、トレーニングモードと同様に、ヘッドホン１００は依然として、センサデータに基づいてどのプロファイルを適用するかを決定してもよい。ブロック４５０において、制御装置１５０はブロック４２０と同様にセンサデータを受信してもよい。
【００３６】
ブロック４５５において、制御装置１５０はセンサデータ内の受信されたセンサ値を、データベース１６５内のルックアップテーブル１７５に格納されたセンサ値（すなわち、格納された変位値）と比較してもよい。
【００３７】
ブロック４６０において、制御装置１５０はセンサデータが少なくとも１つのルックアップテーブル１７５内に保存されたセンサ値に一致するか否かを判定する。保存された値に「一致する」ために、センサデータは保存された値の予め定義された範囲内にあってもよい。例えば、センサデータが角度オフセット／変位である場合、保存された値の０．５度以内であれば、センサデータは保存された値に一致する。センサデータがいくつかの保存された値の予め定義された範囲内に収まる場合、制御装置１５０は、センサデータが最も近い、保存された値を選択してもよい。さらに、センサ１３５、１４０の１つ以上からセンサデータが収集される場合、複数のデータポイントを利用して、プロファイルと一致させるために重み付け済み判定が行われてもよい。一致が判定される場合、処理４００はブロック４６５に進む。そうでなければ、処理４００はブロック４８０に進む。
【００３８】
ブロック４６５において、制御装置１５０は一致したセンサデータに関連するプロファイル１８０をロードし、プロファイル１８０内で定義されたスピーカ設定を適用してもよい。説明するように、一致したプロファイルは、標準プロファイルまたはパーソナライズされたプロファイルの１つであってもよい。ユーザは、ヘッドホン１００の通常利用を継続してもよい。
【００３９】
ブロック４８０において、制御装置１５０は保存された値と一致しないスピーカデータに応じて、トレーニングモードに入るか否か、また、プロファイルを作成するか否かを判断してもよい。この判断は、プロンプトが制御装置１５０によって起動された後に、ユーザによって行われてもよい。プロンプトは、スピーカ１１０を介して行われる、「パーソナライズされたプロファイルを生成しますか？」等の可聴質問を含んでもよい。さらに、または代替的に、プロンプトはインターフェース１１５において作成されてもよい。ユーザが、パーソナライズされたプロファイルの生成を希望することを示す応答をする場合、処理４００はブロック４２５に進む。そうでない場合、処理４００はブロック４８５に進む。
【００４０】
ブロック４８５において、制御装置１５０はデータベース１６５に保存されたデフォルトプロファイルを適用してもよい。デフォルトプロファイルは、聴力、年齢等に関わらず、全てのユーザにとって安全なスピーカ設定を含んでもよい。例えば、ユーザの年齢に関わらず聴力を保護するために、音量制限が小児及び成人の両方にとって適切であってもよい。デフォルトプロファイルはまた、標準ゲイン設定を含んでもよい。
【００４１】
処理４００はその後、終了してもよい。
【００４２】
ユーザプロファイルを識別するためにセンサデータが利用されてもよいが、ユーザ入力等の他のデータはまた、特定のユーザに関連するプロファイルを引き出すか、または識別するために利用されてもよい。ユーザ入力は、マイクロホン１４５において受信される音声コマンドを含んでもよい。この例では、ヘッドホン１００を装着したユーザは、「私はボブです」等の口頭コマンドを出してもよい。ボブのプロファイルはデータベース１６５から引き出され、適用されてもよい。別の例では、ユーザが特定のプロファイルを選択するインターフェース１１５においてユーザ入力が受信されてもよい。これらのユーザ入力は、センサデータに加えて、またはその代わりに利用されてもよい。例えばユーザ入力は、ユーザＩＤの確認を行うために利用されてもよい。別の例では、ユーザ入力は、ユーザＩＤのインジケータのみとして利用されてもよい。この例では、例えばユーザが帽子を装着している場合等にセンサデータを歪曲する可能性があるため、センサデータが不正確である場合がある。
【００４３】
したがって、ユーザの頭部の大きさに基づいて特定のスピーカ設定をヘッドホンに適用することを可能にする方法及び装置について、本明細書に記載する。ユーザの頭部の大きさは、特定の聴力特性に相関し得るユーザの年齢を示してもよい。小児の聴力は成人の聴力よりも優れている可能性があるが、小児の耳はまた、大きな雑音により敏感である場合があり、これによって小児のユーザの音量制限／レベルは、成人のユーザよりも低く設定されてもよい。ユーザの知覚年齢に基づいて標準プロファイルを適用することに加えて、ゲインテーブルを特定のユーザの聴力に関する必要性に合わせて調整することができるように、特定のユーザ向けにパーソナライズされたプロファイルが作成されてもよい。
【００４４】
本明細書に記載の計算装置は全体として、上述のような１つまたは複数の計算装置により実行可能であるコンピュータ実行可能命令を含む。コンピュータ実行可能命令は、Ｊａｖａ（登録商標）、Ｃ、Ｃ＋＋、Ｖｉｓｕａｌ  Ｂａｓｉｃ、Ｊａｖａ（登録商標）  Ｓｃｒｉｐｔ、Ｐｅｒｌ等を単独で、または組み合わせて制限なく含む様々なプログラミング言語及び／または技術を利用して作成されたコンピュータプログラムからコンパイルされるか、または解釈されてもよい。一般に、処理装置（例えば、マイクロプロセッサ）は例えば記憶装置、コンピュータ可読媒体等から命令を受信し、これらの命令を実行することにより、本明細書に記載の処理の１つまたは複数を含む１つまたは複数の処理を実施する。このような命令及び他のデータは、様々なコンピュータ可読媒体を利用して格納され、送信されてもよい。
【００４５】
本明細書に記載の処理、システム、方法、ヒューリスティック等については、このような処理等、ステップが特定の整然とした順序にしたがって起こるように記載されているものの、このような処理を本明細書に記載の順序とは異なる順序で行われる、記載のステップで実施することも可能であることを理解すべきである。特定のステップを同時に行うことも可能であり、他のステップを付加することも可能であり、また本明細書に記載される特定のステップを省略することも可能であることをさらに理解すべきである。言い換えると、本明細書の処理の説明は、特定の実施形態を例示する目的のために提供され、そしていかなる点でも特許請求の範囲を制限するように意図されてはならない。
【００４６】
例示的な実施形態について上述したが、これらの実施形態は本発明のあらゆる可能な形態を記述することを意図するものではない。むしろ、明細書にて使用する語は説明の語であって、限定するものではなく、本発明の趣旨及び範囲を逸脱しない様々な変更を加えることが可能であると理解される。さらに、様々な実施する実施形態の特徴を、本発明のさらなる実施形態を形成するために組み合わせてもよい。
【図１】
2018509820.tif 000003
【図２】
2018509820.tif 000004
【図３】
2018509820.tif 000005
【図４】
2018509820.tif 000006
【国際調査報告】
2018509820.tif 000007
2018509820.tif 000008